(57)【要約】【課題】  トレイの移送及びシャーシの回動に関与する駆動源から提供される動力を利用して、ドアを開閉可能にして、駆動源に加えられる負荷を減らすと共に、ドアの曲がり不良を防止できる構造の光ディスクプレイヤを提供する。【解決手段】  本体と、この本体内外に出入りしつつ、光ディスクを運搬するトレイと、本体に回動可能に設置されるシャーシと、シャーシに往復移動可能に設置され、ターンテーブルに回転可能に載置された光ディスクに／から情報を記録／再生する光ピックアップと、本体の前面に設置されるものであって、トレイが出入りする開口部を有するドアホルダーと、ドアホルダーにスライディング可能に設置されて、開口部を開閉させるドアを備えたカバー部材と、トレイの出入り、シャーシの回動及びドアのスライディング開閉を行うカム駆動機構とを含む。【選択図】      図２  
2005228465.tif 000002
【特許請求の範囲】
【請求項１】
本体と、
前記本体内外に出入りしつつ光ディスクを運搬するトレイと、
前記本体に対して回動可能に設置されるシャーシと、
前記シャーシに往復移動可能に設置されて、ターンテーブルに回転可能に載置した前記光ディスクに／から情報を記録/再生する光ピックアップと、
前記本体の前面に設置されるものであって、前記トレイが出入りする開口部を有するドアホルダーと、前記ドアホルダーに対してスライディング可能に設置されて、前記開口部を開閉させるドアとを備えたカバー部材と、
前記トレイの出入り、前記シャーシの回動及び前記ドアのスライディング開閉を行うカム駆動機構とを含むことを特徴とする光ディスクプレイヤ。
【請求項２】
前記カム駆動機構は、
前記本体内に設置されるローディングモータと、
前記ローディングモータから提供された動力を伝達する動力伝達部と、
前記動力伝達部から選択的に動力を伝達されて、往復スライディング駆動されるものであって、前記ドアのスライディング開閉及び前記シャーシの回動をガイドするスライディングカムと、
前記動力伝達部から選択的に動力を伝達されて、前記本体内外に前記トレイを往復駆動させるトレイ駆動部とを含むことを特徴とする請求項１に記載の光ディスクプレイヤ。
【請求項３】
前記トレイ駆動部は、
前記動力伝達部に選択的に噛み合うものであって、前記トレイの一面に形成されたトレイラックギヤと、
前記トレイの一面に形成されて、トレイの往復移送をガイドし、動力を切り換えるメインガイド溝とを含むことを特徴とする請求項２に記載の光ディスクプレイヤ。
【請求項４】
前記メインガイド溝は、
前記トレイの往復移送方向に平行に形成されたトレイガイド部と、
前記スライディングカムが前記動力伝達部に選択的に噛み合うようにガイドするクラッチ部と、
前記スライディングカム移送方向に平行に形成されたスライディングカム移送ガイド部とを含むことを特徴とする請求項３に記載の光ディスクプレイヤ。
【請求項５】
前記スライディングカムは、
前記シャーシの回動をガイドする回動ガイドカムホールと、前記動力伝達部に噛み合い、動力を伝達されるスライディングラックギヤとを備えるスライディングプレートと、
前記トレイと対面する前記スライディングプレートの一面に突出形成されるものであって、前記メインガイド溝に結合されて、前記トレイとの相対位置によって、前記スライディングプレートの移送をガイドするメインガイドボスとを含むことを特徴とする請求項３に記載の光ディスクプレイヤ。
【請求項６】
前記シャーシは、
前記本体に回動可能に結合される回動軸と、
前記スライディングプレートの一側と対面する側面に突出形成されるものであって、前記回動ガイドカムホールに結合されて、前記スライディングプレートの位置によって、前記回動ガイドカムホールに沿って昇降するシャーシ回動ガイドピンとを含むことを特徴とする請求項５に記載の光ディスクプレイヤ。
【請求項７】
前記スライディングカムは、
前記動力伝達部に噛み合って動力を伝達されるスライディングラックギヤを備えるスライディングプレートと、
前記トレイと対面する前記スライディングプレートの一面に突出形成されるものであって、前記トレイとの相対位置によって、前記スライディングプレートの移送をガイドするメインガイドボスと、
前記ドアと対面する前記スライディングプレートの一側に突出形成されて、前記ドアの昇降をガイドするドア昇降ガイドピンとを含むことを特徴とする請求項３に記載の光ディスクプレイヤ。
【請求項８】
前記ドアは、
前記ドア昇降ガイドピンが結合されるように、前記ドア昇降ガイドピンと対面する一面に少なくとも一部が斜めに引込み形成されて、前記スライディングプレートの位置によってドアの昇降をガイドするドアガイド溝を備えることを特徴とする請求項７に記載の光ディスクプレイヤ。
【請求項９】
前記トレイ駆動部は、
前記スライディングカム移送をガイドする補助ガイド溝をさらに含み、
前記スライディングカムは、
前記トレイと対面する前記スライディングプレートの一面に突出形成されるものであって、前記補助ガイド溝に挿し込まれて移送をガイドする補助ガイドボスをさらに含むことを特徴とする請求項５ないし８のうち何れか一項に記載の光ディスクプレイヤ。
【請求項１０】
前記動力伝達部は、
前記ローディングモータから提供される動力によって回転可能に前記本体に設置されるものであって、前記トレイラックギヤと前記スライディングラックギヤとに選択的に噛み合うピニオンギヤを含み、前記トレイと前記スライディングカムとに選択的に動力を伝達できることを特徴とする請求項５ないし８に記載の光ディスクプレイヤ。
【請求項１１】
前記ドアは、
前記カム駆動機構と対面する一面に形成されるものであって、前記カム駆動機構の位置によって昇降をガイドするように少なくとも一部が斜めに形成されたドアガイド溝を備えることを特徴とする請求項１に記載の光ディスクプレイヤ。
【請求項１２】
前記ドアホルダーは、
前記開口部の内側に形成されるものであって、前記ドアが昇降可能に結合されるガイドレールを含むことを特徴とする請求項１１に記載の光ディスクプレイヤ。
【請求項１３】
前記開口部の一側に形成されたストッパと、前記ドアの下部の少なくとも一側に形成された係止爪と、をさらに含み、
前記ドアホルダーに対して前記ドアが誤まって挿し込まれることを防止できることを特徴とする請求項１１または１２に記載の光ディスクプレイヤ。
【発明の詳細な説明】
【技術分野】
【０００１】
本発明は、光ディスクプレイヤに係り、詳しくは、ドアの開閉、トレイの移送及びターンテーブル回動用シャーシの回動構造を改善した光ディスクプレイヤに関する。
【背景技術】
【０００２】
一般的に、光ディスクプレイヤは、記録媒体の光ディスクに光を照射して、この光ディスクに／から情報を記録／再生する装置である。
【０００３】
図１を参照するに、従来の光ディスクプレイヤは、本体１０と、この本体１０内に回動可能に設置されたフレーム２０と、このフレーム２０上に支持されるシャーシ３０及び光ディスクＤが載置される載置面４１を有し、本体１０の内外を出入りしつつ光ディスクＤを運搬するトレイ４０とを含む。シャーシ３０には、トレイ４０を通じて運搬された光ディスクＤが載置されるターンテーブル３２と、このターンテーブル３２に載置された光ディスクＤに／から情報の記録／再生する光ピックアップ３１が設置される。この光ピックアップ３１は、シャーシ３０に往復移送可能に設置される。
【０００４】
本体１０に対する前記トレイ４０の往復運動のために、本体１０にはローディングモータ１１と、このローディングモータ１１の動力を伝達するようにベルトと多数の中継ギヤとよりなる動力伝達部１３ａ，１３ｂ，１３ｃが設けられる。そして、トレイ４０の下面にはラックギヤ４２が形成される。したがって、ローディングモータ１１から提供される動力は、動力伝達部１３ａ，１３ｂ，１３ｃを通じてラックギヤ４２に伝達されてトレイ４０を往復運動させる。
【０００５】
フレーム２０は、本体１０に支持された回動軸２２を中心に、本体１０に対して上下方向に回動可能に設置される。
【０００６】
このために、本体１０には、ローディングモータ１１の動力を伝達されて左右に往復スライディングするカム部材１２が設置される。カム部材１２は、高さ方向への傾斜を有するカム溝１２ａを備える。カム溝１２ａには、フレーム２０のカム突起２１が挿し込まれる。ここで、カム突起２１は、上下方向に動き可能にフレーム２０に設置されており、カム部材１２は、往復駆動に連動されてカム溝１２ａの軌跡に沿って昇降運動する。カム部材１２に提供される動力は、トレイ４０の位置によって切換え可能になっている。すなわち、トレイ４０が本体１０の内部にほぼ進入した状態とその完了状態との間にのみ動力を伝達され、それ以外には遮断される。
【０００７】
このために、カム部材１２には、突起１２ｃが設けられている。この突起１２ｃは、トレイ４０の出入り時、傾斜部４３ａに接触してスライディングされる。すなわち、トレイ４０が本体１０にほぼ進入した場合、ガイドレール４３の傾斜部４３ａと突起１２ｃとが接触しつつ、カム部材１２が一側に移動し、カム部材１２のギヤ部１２ｂが動力伝達部１３ｃに噛み合う。これにより、トレイ４０を進入させたローディングモータ１１の動力がカム部材１２をスライディングさせる方向に切り換えられる。
【０００８】
一方、トレイ４０のローディング動作が完了した後に、本体１０の内部にホコリが流入されることを防止するために、本体１０の前面部には、トレイ４０が出入りする開口部５１を有するカバー部材５０と、この開口部５１内に回動可能に設置された回動タイプのドア５５が設置されている。ここで、ドア５５の開閉動作は、トレイ４０の移送力及びカバー部材５０の一側に設けられたバネ５３の復原力によってなされる。すなわち、トレイ４０が本体１０の内部に位置した場合には、ドア５５は、トレイ４０の干渉を受けず、バネ５３の復原力によって開口部５１を閉じる位置に置かれる。
【０００９】
一方、アンローディング時には、ローディングモータ１１によって駆動されて、トレイ４０が外部に引出されつつ、その端部４０ａがドア５５の内壁に接触する。これにより、ドア５５は、バネ５３の弾性力に勝ち、ヒンジを中心に回動されつつ開口部５１を開ける。
【００１０】
このような構成において、光ディスクＤがトレイ４０に搭載されて本体１０の内部に進入すれば、前記カム部材１２がスライディングしつつフレーム２０が上に回動する。次いで、ターンテーブル３２上に光ディスクＤが載置される。一方、トレイ４０の引出しは、前記動作の逆順に進められる。
【００１１】
前記アンローディング状態及びローディング動作中には、ドア５５がオープンされた状態を維持する。そして、ローディング動作が完了した後には、トレイ４０との接触が解除されつつ、開口部５１を閉じ、本体１０の内部にホコリの流入を遮断する。
【００１２】
一方、前記従来の光ディスクプレイヤは、バネ５３の復原力によってドア５５を閉じ、トレイ４０の押し力によってドア５５を開ける構造を有する。したがって、アンローディング動作時、バネ５３の復原力と、トレイ４０と本体１０との摩擦力とによってアンローディングに必要な動力を提供するローディングモータ１１にかかる負荷が増加する問題点がある。また、ドア５５の開閉時にノイズが発生する問題点がある。
【００１３】
また、カートリッジタイプの光ディスク装着の便宜を考慮して、トレイ４０の端部４０ａをラウンド状に設計した場合、ドア５５の全面が同時にトレイ４０の一側壁に接触しない。すなわち、ドア５５の一部分がトレイ４０の端部４０ａに接触するので、開閉動作時にドア５５が曲がるという問題点が発生する恐れがある。
【発明の開示】
【発明が解決しようとする課題】
【００１４】
本発明は、前記問題点を勘案して案出されたものであって、トレイの移送及びシャーシの回動に関与する駆動源から提供される動力を利用して、ドアを開閉可能にして、駆動源に加えられる負荷を減らすと共に、ドアの曲がり不良を防止できる構造の光ディスクプレイヤを提供するところにその目的がある。
【課題を解決するための手段】
【００１５】
前記目的を解決するために本発明による光ディスクプレイヤは、本体と、この本体内外に出入りしつつ光ディスクを運搬するトレイと、前記本体に回動可能に設置されるシャーシと、前記シャーシに往復移動可能に設置されて、ターンテーブルに回転可能に載置された前記光ディスクに／から情報を記録／再生する光ピックアップと、前記本体の前面に設置されるものであって、前記トレイが出入りする開口部を有するドアホルダーと、前記ドアホルダーにスライディング可能に設置されて、前記開口部を開閉させるドアを備えたカバー部材と、前記トレイの出入り、前記シャーシの回動及び前記ドアのスライディング開閉を行うカム駆動機構とを含むことを特徴とする。
【００１６】
ここで、カム駆動機構は、前記本体内に設置されるローディングモータと、前記ローディングモータから提供される動力を伝達する動力伝達部と、前記動力伝達部から選択的に動力を伝達されて往復スライディング駆動されるものであって、前記ドアのスライディング開閉及び前記シャーシの回動をガイドするスライディングカムと、前記動力伝達部から選択的に動力を伝達されて、前記本体内外に前記トレイを往復駆動させるトレイ駆動部とを含むことを特徴とする。
【発明の効果】
【００１７】
本発明による光ディスクプレイヤは、カバー部材に設けられたドアの開閉動作をスライディング方式に変え、トレイの移送及びターンテーブルが装着されたシャーシの回動に関与するローディングモータから提供される動力を利用して前記ドアを開閉可能にする。
【００１８】
したがって、トレイとの接触及びバネの復原力によって回転開閉されるタイプの回転式ドアを採用した従来の光ディスクプレイヤに比べて、ローディング時にローディングモータに加えられる負荷とノイズとを減らせるという利点がある。また、ドアの開閉のための別途の空間が不要であるので、全体的に占める空間を減らせ、スライディングタイプでドアを開閉することによって、ドアの曲がり不良を根本的に防止できる。
【発明を実施するための最良の形態】
【００１９】
以下、添付された図面を参照して本発明をさらに詳細に説明する。
【００２０】
図２ないし図４を参照するに、本発明の実施例による光ディスクプレイヤは、本体１００と、この本体１００の内外に出入りしつつ光ディスクを運搬してローディング／アンローディングさせるトレイ１１０と、本体１００に回動可能に設置されるシャーシ１２０と、ローディングされた光ディスクＤに／から情報を記録／再生する光ピックアップ１３０と、本体１００の前面に設置されるカバー部材１４０とを含む。また、本実施例は、トレイ１１０の出入り、シャーシ１２０の回動及びカバー部材１４０をなすドア１４５のスライディング開閉を行うカム駆動機構２００を含む。
【００２１】
トレイ１１０は、光ディスクＤが載置される載置面１１３を有する。この載置面１１３は、カートリッジタイプの光ディスク及び記録面が外部に露出されたタイプの光ディスクを何れも収容できる構造を有する。すなわち、前記載置面１１３は、カートリッジ規格に合う四角形載置溝１１３ａと、直径１２０ｍｍ及び直径８０ｍｍ規格の光ディスクがそれぞれ載置される円形載置溝１１３ｂ，１１３ｃを有する。
【００２２】
このトレイ１１０は、カム駆動機構２００によって前記本体１００の内部と外部との間で往復駆動される。このために、トレイ１１０の一面、すなわち、載置面１１３の裏面には、カム駆動機構２００の一要素としてのトレイ駆動部１１５が設けられている。このトレイ駆動部１１５は、後述するローディングモータ２１０から提供される駆動力を伝達されて、トレイ１１０を往復駆動させるトレイラックギヤ１１６と、トレイ１１０の往復移送をガイドとして動力転換を行うメインガイド溝１１７と、を含む。また、トレイ駆動部１１５は、後述するスライディングカム２３０の移送をガイドするようにトレイ１１０の一面に形成された補助ガイド溝１１８をさらに含むことが望ましい。このトレイ駆動部１１５の詳細な構成及び動作説明は後述する。
【００２３】
シャーシ１２０は、トレイ１１０に運搬された光ディスクＤが載置されるターンテーブル１２１と、光ピックアップ１３０が設置される。ターンテーブル１２１は、回転駆動力を提供するスピンドルモータ１２３の回転軸に設置されるものであって、載置された光ディスクＤに／から情報を記録／再生する時に回転駆動される。
【００２４】
光ピックアップ１３０は、シャーシ１２０に設けられたガイドシャフト１３５に動き可能に設置されるものであって、ガイドシャフト１３５に案内されてターンテーブル１２１に載置した光ディスクＤの半径方向に往復駆動される。この光ピックアップ１３０は、光ディスクＤに光を照射し、光ディスクＤから反射された光を受光して、前記光ディスクＤに／から情報を記録／再生する。この光ピックアップ１３０自体の構成及び機能は、当業者には公知のものであるので、その詳細な説明は省略する。
【００２５】
シャーシ１２０は、カム駆動機構２００に連動されて本体１００に回動駆動される。すなわち、シャーシ１２０は、本体１００内部へのトレイ１１０の進入が完了した状態では、上昇してターンテーブル１２１に光ディスクＤをローディングさせ、それ以外には、下降して本体１００内外に動くトレイ１１０の移動を妨害しない。このために、シャーシ１２０は、本体１００の所定位置に回動可能に結合される回動軸１２５と、スライディングカム２３０の回動ガイドカムホール２３３に連結されてシャーシ１２０の昇降をガイドするシャーシ回動ガイドピン１２７とを含む。
【００２６】
カバー部材１４０は、トレイ１１０が出入りする開口部１４１ａを有するドアホルダー１４１と、ドアホルダー１４１にスライディング可能に設置されて開口部１４１ａを開閉させるドア１４５とを備える。
【００２７】
ドア１４５のカム駆動機構２００と対面する一面には、ドアガイド溝１４７が形成されている。このドアガイド溝１４７は、カム駆動機構２００の位置によってドア１４５の昇降をガイドするものであって、少なくとも一部が斜めに形成されている。したがって、スライディングカム２３０の水平方向の運動に連動されてドア１４５が垂直方向に運動する。すなわち、ドア１４５は、本体１００内部へのトレイ１１０の進入が完了した状態では、上昇して開口部１４１ａを閉じる。したがって、外部から前記本体１００内部に異質物が流入されることを防止する。それ以外の場合には、スライディングカム２３０の水平スライディング運動に連動されて下降して、開口部１４１ａを開く。
【００２８】
ドアホルダー１４１は、ドア１４５の昇降をガイドするガイドレール１４２を含むことが望ましい。このガイドレール１４２は、開口部１４１ａの内側に形成されるものであって、このガイドレール１４２にドア１４５が昇降可能に結合される。また、このドアホルダー１４１にドア１４５を組付ける時、ドア１４５が誤まって挿し込まれることを防止できるように、ドアホルダー１４１の開口部１４１ａの一側にストッパ１４４が形成され、ドア１４５の下部の少なくとも一側に係止爪１４８が形成されたことが望ましい。したがって、上下方向を変えるか、または前後を逆にして結合する時、係止爪１４８が、ガイドレール１４２またはストッパ１４４に干渉されることによって、誤まって挿し込まれることを防止できる。また、前記誤まって挿し込まれることを防止する構造と共に、またはその構造の代わりに、ドア１４５の組付け方向を表す識別標識１４９をドア１４５に設けることが望ましい。したがって、組付け時に作業者または組付けに利用される機器が、識別標識１４９を通じて組付け方向を識別することによって、ドアホルダー１４１に対するドア１４５が誤まって組付けられることを防止できる。
【００２９】
カム駆動機構２００は、一つの駆動源から提供される動力から、トレイ１１０、シャーシ１２０及びドア１４０を駆動する機構である。このカム駆動機構２００は、本体１００内に設置されるローディングモータ２１０と、動力を伝達する動力伝達部２２０と、本体１００内にスライディング可能に設置されたスライディングカム２３０と、トレイ１１０に設置されたトレイ駆動部１１５とを含む。
【００３０】
動力伝達部２２０は、本体１００内に設置されるものであって、ローディングモータ２１０から提供される動力をスライディングカム２３０とトレイ駆動部１１５とに選択的に伝達する。
【００３１】
図５は、ローディングモータ２１０から提供される動力を減速伝達できる構造の動力伝達部２２０を例として示す図である。図を参照するに、動力伝達部２２０は、ローディングモータ２１０の回転軸に設けられた第１プーリ２２１、この第１プーリ２２１の直径より長い第２プーリ２２２、第１プーリ２２１と第２プーリ２２２との間に設置されたベルト２２３、単層または多層構造の中継ギヤ２２４，２２５及びピニオンギヤ２２７を含む。したがって、ローディングモータ２１０から提供される動力は、ベルト２２３と中継ギヤ２２４，２２５とを通じてピニオンギヤ２２７に伝達される。
【００３２】
ピニオンギヤ２２７は、図４に示されたように、スライディングカム２３０のスライディングプレート２３１に設けられたスライディングラックギヤ２３５とトレイラックギヤ１１６とに選択的に噛み合うものであって、トレイ１１０とスライディングカム２３０とに選択的に動力を伝達する。ここで、ピニオンギヤ２２７を通じた動力の伝達及び遮断過程は後述する。
【００３３】
一方、前記動力伝達部２２０は、図５に示されたような構成以外にも、多様な変形が可能である。例えば、ローディングモータ２１０の回転軸にピニオンギヤ２２７を直接設置した構成も可能である。
【００３４】
スライディングカム２３０は、動力伝達部２２０から選択的に動力を伝達されて往復スライディング駆動されるものであって、ドア１４５のスライディング開閉及びシャーシ１２０の回動をガイドする。
【００３５】
トレイ駆動部１１５は、本体１００の内外にトレイ１１０を往復駆動させると共に、ピニオンギヤ２２７を通じて伝えられた動力をスライディングカム２３０とトレイ１１０とに選択的に伝達する役割を行う。
【００３６】
このため、トレイ駆動部１１５は、トレイ１１０を往復駆動させるトレイラックギヤ１１６と、トレイ１１０の往復移送をガイドし、動力転換を行うメインガイド溝１１７と、スライディングカム２３０の移送をガイドする補助ガイド溝１１８とを含む。
【００３７】
メインガイド溝１１７は、スライディングカム２３０に含まれたメインガイドボス２３７の移動をガイドするものであって、その配置構造及び作用によってトレイガイド部１１７ａ、クラッチ部１１７ｂ及びスライディングカム移送ガイド部１１７ｃに区別される。
【００３８】
トレイガイド部１１７ａは、トレイ１１０の往復移送方向と平行に形成されている。クラッチ部１１７ｂは、トレイ１１０の移動方向に斜めに形成されている。したがって、このクラッチ部１１７ｂは、ローディング動作時、すなわち、トレイ１１０が本体１００の内部に進入する時、スライディングプレート２３１をピニオンギヤ２２７側に水平移動させる。これにより、スライディングラックギヤ２３５がピニオンギヤ２２７に噛み合い、スライディングプレート２３１に動力が伝えられる。この時、ピニオンギヤ２２７とトレイラックギヤ１１６との噛み合いは解除される。一方、クラッチ部１１７ｂは、アンローディング動作を開始する時には、トレイ１１０を所定間隔に取出して、ピニオンギヤ２２７とスライディングラックギヤ２３５との噛み合いを解除すると同時に、前記ピニオンギヤ２２７にトレイラックギヤ１１６を噛み合わせる。
【００３９】
スライディングカム移送ガイド部１１７ｃは、スライディングプレート２３１の移送方向と平行に形成されていて、スライディングプレート２３１の移送をガイドする。
【００４０】
補助ガイド溝１１８は、メインガイド溝１１７が形成されたトレイ１１０の一面に形成されるものであって、スライディングプレート２３１の移送ガイドを補助する。
【００４１】
スライディングカム２３０は、ドア１４５のスライディング開閉及びシャーシ１２０の回動をガイドするものであって、スライディングプレート２３１、メインガイドボス２３７及び、ドア昇降ガイドピン２３９を含む。
【００４２】
スライディングプレート２３１は、トレイ１１０の移送方向に垂直な方向に往復移動可能に設置されたものであって、シャーシ１２０の回動をガイドする回動ガイドカムホール２３３と、ピニオンギヤ２２７に選択的に噛み合うスライディングラックギヤ２３５とを含む。
【００４３】
回動ガイドカムホール２３３は、スライディングプレート２３１の上面の一側から下向きに延長形成された部分に、シャーシ１２０の一側と対面するように形成される。この回動ガイドカムホール２３３は、図１０に示されたような構造を有するものであって、一部が斜めに形成されている。回動ガイドカムホール２３３には、シャーシ回動ガイドピン１２７が挿し込まれる。したがって、スライディングプレート２３１の位置によって、回動ガイドカムホール２３３内でのシャーシ回動ガイドピン１２７の垂直方向の位置が決定される。前述したように、回動ガイドカムホール２３３とシャーシ回動ガイドピン１２７とを備えることによって、本体１００の内部にトレイ１１０の引込みが完了した後には、シャーシ１２０を上昇させ、それ以外には、シャーシ１２０を下降させうる。
【００４４】
スライディングラックギヤ２３５は、ピニオンギヤ２２７に選択的に噛み合うものであって、噛み合った状態では、回転運動を直線運動に転換する。したがって、ローディングモータ２１０から提供された駆動力によって、スライディングプレート２３１を直線往復移送させうる。
【００４５】
メインガイドボス２３７は、スライディングプレート２３１上の所定位置に突出形成されるものであって、前記のようにメインガイド溝１１７に結合される。したがって、動力切換え時にクラッチ部１１７ｂとメインガイドボス２３７との相互作用によって、ピニオンギヤ２２７をトレイラックギヤ１１６またはスライディングラックギヤ２３５に選択的に噛み合わせる。
【００４６】
ドア昇降ガイドピン２３９は、スライディングプレート２３１のドア１４５と対面する一側に突出形成されるものであって、ドアガイド溝１４７に結合されて、ドア１４５の昇降をガイドする。すなわち、ドア昇降ガイドピン２３９は、ドア１４５をスライディングプレート２３１の水平運動に連動して昇降させる。
【００４７】
補助ガイドボス２３８は、トレイ１１０と対面するスライディングプレート２３１の一面に突出形成されるものであって、補助ガイド溝１１８に挿し込まれてトレイ１１０の移送をガイドする。
【００４８】
以下、図６ないし図１２を参照しつつ本発明の実施例による光ディスクプレイヤのローディング動作及びアンローディング動作を説明する。
【００４９】
図６を参照するに、光ディスクＤを装着する動作は、ドア１４５が完全に開き、シャーシ１２０が下向きに回動した状態で、トレイ１１０が本体１００の外部に完全に移動した状態で行われる。この場合、トレイ１１０の載置面１１３は、外部に露出された状態で、この載置面１１３へ／からの記録／再生に利用される光ディスクカートリッジまたは、カートリッジのない光ディスクを載置する。この場合、トレイラックギヤ１１６の一端部にピニオンギヤ２２７が噛み合っている。そして、メインガイドボス２３７は、トレイガイド部１１７ａの端部に位置している。
【００５０】
このような状態でローディングを行う場合、ローディングモータ２１０から提供された動力が動力伝達部２２０を通じてピニオンギヤ２２７を回転させる。この動力がトレイラックギヤ１１６を通じてトレイ１１０に伝達されつつ、トレイ１１０が本体１００の内部に移動して、図７のような状態となる。
【００５１】
図７を参照するに、メインガイドボス２３７は、トレイガイド部１１７ａのクラッチ部１１７ｂと出合う部分に位置する。この場合は、スライディングラックギヤ２３５がピニオンギヤ２２７から分離された状態であって、スライディングプレート２３１が移動しない。したがって、ドア１４５は、依然として開いており、シャーシ１２０は、下向きに回動された状態を維持する。
【００５２】
次いで、トレイ１１０が移動し続ける場合は、図８に示されたように、メインガイドボス２３７がクラッチ部１１７ｂに進入する。この時、クラッチ部１１７ｂの傾斜面とメインガイドボス２３７との接触によって、メインガイドボス２３７が、トレイ１１０の移動方向には規制されたまま、その垂直方向に力を受ける。この力によって、スライディングプレート２３１が移動しつつ、スライディングラックギヤ２３５がピニオンギヤ２２７に噛み合う。この時、トレイ１１０の継続的な移動によって、トレイラックギヤ１１６とピニオンギヤ２２７との噛み合いが解除される。
【００５３】
このように、メインガイドボス２３７がクラッチ部１１７ｂにガイドされて移動する場合、図１０に示されたように、シャーシ回動ガイドピン１２７が回動ガイドカムホール２３３の水平部分で相対的に動く。したがって、シャーシ１２０は、図１１に示されたように、下向き回動状態を維持する。
【００５４】
また、ドア昇降ガイドピン２３９は、図８に示されたように、ドアガイド溝１４７の水平部分で相対的な移動をする。したがって、ドア１４５は、依然として開放状態を維持する。
【００５５】
図９は、ローディング動作が完了した状態を示す図である。図を参照するに、メインガイドボス２３７がクラッチ部１１７ｂを外れてスライディングカム移送ガイド部１１７ｃに進入する場合は、ピニオンギヤ２２７に対するトレイラックギヤ１１６の噛み合いが解除された状態であるので、トレイ１１０は、本体１００内で停止する。この場合、ピニオンギヤ２２７は、スライディングラックギヤ２３５に噛み合った状態であり、スライディングプレート２３１は、ローディングモータ２１０の動力を伝達されて図９の右側方向に移動する。
【００５６】
この場合、シャーシ回動ガイドピン１２７は、図１０に示されたように、回動ガイドカムホール２３３の傾斜した部分で相対的に動く。すなわち、スライディングプレート２３１が、図１０の矢印方向‘Ａ’に移動する時、シャーシ１２０は、サイド方向に規制されていて、上向きにのみ移動する。したがって、図１２に示されたように、シャーシ１２０が回動軸１２５を中心に上向きに回動しつつターンテーブル１２１が上昇する。これにより、トレイ１１０の載置面１１３に位置した光ディスクＤがターンテーブル１２１に位置しつつ、載置面１１３から離隔される。このターンテーブル１２１に載置された光ディスクＤは、スピンドルモータ１２３の回転力によって回転駆動される。ここで、トレイ１１０にカートリッジ状に装着された光ディスクは、カートリッジのシャッタを開放するシャッタオープナー（図示せず）によってその下面が露出されて、ターンテーブル１２１に載置しうる。このように、光ディスクＤがターンテーブル１２１に載置された状態で、光ピックアップ１３０がガイドシャフト１３５に沿って光ディスクＤの半径方向に移動しつつ、光ディスクＤに／から情報を記録／再生する。
【００５７】
また、この場合、ドア昇降ガイドピン２３９は、図９に示されたように、ドアガイド溝１４７の傾斜した部分で相対的な移動をする。この時、ドア１４５は、そのサイド方向に規制されているので、ガイドレール１４２に沿って上昇しつつ、開口部１４１ａを閉じる。このように、開口部１４１ａを閉じることによって、動作時に異質物が本体１００の内部に流入されることを防止できる。
【００５８】
一方、前記のようなローディング状態で、図６に示されたようなアンローディング状態への動作は、前述したローディング動作の逆順に進められる。
【００５９】
前記実施例は、例示的なものに過ぎず、当業者ならば、これから多様な変形及び均等な他の実施例に可能であることが分かる。したがって、本発明の真の技術的保護範囲は、特許請求の範囲の技術的思想によって決定されなければならない。
【産業上の利用可能性】
【００６０】
本発明による光ディスクプレイヤは、光ディスクに光を照射して情報を記録及び再生する光ディスクドライブ分野に広く適用できる。
【図面の簡単な説明】
【００６１】
【図１】従来の光ディスクプレイヤを示す分離斜視図である。
【図２】本発明の実施例による光ディスクプレイヤを示す分離斜視図である。
【図３】図２のスライディングカム及びカバー部材を抜粋して示す分離斜視図である。
【図４】図２のトレイ及びトレイ駆動部とスライディングカムとを示す概略的な平面図である。
【図５】図２のローディングモータ及び動力伝達部を示す概略的な断面図である。
【図６】本発明の実施例による光ディスクプレイヤのアンローディング状態を示す斜視図である。
【図７】図６の状態でローディングされる過程を説明するためにトレイの一部及びカバー部材を示す概略的な図である。
【図８】図６の状態でローディングされる過程を説明するためにトレイの一部及びカバー部材を示す概略的な図である。
【図９】図６の状態でローディングされる過程を説明するためにトレイの一部及びカバー部材を示す概略的な図である。
【図１０】ローディング過程でのスライディングカムのスライディングによる回動ガイドカムホールに対するシャーシ回動ガイドピンの移動状態を示す概略的な図である。
【図１１】アンローディング状態でのシャーシの配置を示す概略的な正面図である。
【図１２】ローディング状態でのシャーシの配置を示す概略的な正面図である。
【符号の説明】
【００６２】
１００    本体
１１０    トレイ
１１３    載置面
１１３ａ，１１３ｂ，１１３ｃ  載置溝
１２０    シャーシ
１２１    ターンテーブル
１２３    スピンドルモータ
１２５    回動軸
１２７    シャーシ回動ガイドピン
１３０    光ピックアップ
１４０    カバー部材
１４１    ドアホルダー
１４１ａ  開口部
１４２    ガイドレール
１４５    ドア
１４７    ドアガイド溝
２００    カム駆動機構
２１０    ローディングモータ
２２０    動力伝達部
２２７    ピニオンギヤ
２３０    スライディングカム
２３１    スライディングプレート
２３３    回動ガイドカムホール
２３５    スライディングラックギヤ
２３７    メインガイドボス
２３８    補助ガイドボス
２３９    ドア乗降ガイドピン
Ｄ        光ディスク
【図１】
2005228465.tif 000003
【図２】
2005228465.tif 000004
【図３】
2005228465.tif 000005
【図４】
2005228465.tif 000006
【図５】
2005228465.tif 000007
【図６】
2005228465.tif 000008
【図７】
2005228465.tif 000009
【図８】
2005228465.tif 000010
【図９】
2005228465.tif 000011
【図１０】
2005228465.tif 000012
【図１１】
2005228465.tif 000013
【図１２】
2005228465.tif 000014